(57)【要約】【課題】複数の原色投射管を使用する投射型表示装置において、各原色投射管の投射角度の違いに基づく色むらを補正する補正回路を有する投射型表示装置を提供する。【解決手段】原色映像信号がカソードに供給される複数の投射管を有し、各投射管からの投射映像をスクリーンに表示する投射型表示装置であって、入力映像信号から同期信号を分離する分離部４３と、同期信号を利用してスクリーン上での色むらを補正する補正信号を生成する補正信号生成回路１１−１６と、補正信号を投射管に供給される原色映像信号の輝度レベルに応じて制御する制御回路１７，１８と、制御された補正信号を各投射管の第１グリッド又は第２グリッドに供給する供給部１９−２４とをもつ投射型表示装置であり、複数の投射管の色むらを補正するものである。【選択図】      図１
2005117560.tif 000002
【特許請求の範囲】
【請求項１】
原色映像信号がカソードに供給される複数の投射管を有し、各投射管からの投射映像をスクリーンに表示する投射型表示装置において、
入力映像信号から同期信号を分離する分離部と、
前記分離部によって分離した同期信号を利用して、スクリーン上での色むらを補正する補正信号を生成する補正信号生成回路と、
前記補正信号を、前記投射管に供給される原色映像信号の輝度レベルに応じて制御する制御回路と、
前記制御回路によって制御された補正信号を前記各投射管の第１グリッド又は第２グリッドに供給する供給部とを具備したことを特徴とする投射型表示装置。
【請求項２】
前記複数の投射管は、中央に緑色投射管が配置され、それに隣接して赤色投射管と青色投射管が対称的に配置されたことを特徴とする請求項１記載の投射型表示装置。
【請求項３】
前記各投射管の第１グリッド又は第２グリッドへの補正信号の供給を、垂直帰線期間に禁止するマスク部を有することを特徴とする請求項１記載の投射型表示装置。
【請求項４】
前記補正信号生成回路は、前記入力映像信号から分離した水平同期信号に基づいて、赤色投射管及び青色投射管の水平色補正信号を生成することを特徴とする請求項１記載の投射型表示装置。
【請求項５】
前記補正信号生成回路は、前記水平同期信号に同期した信号をそれぞれ異なる時定数で積分し、赤色投射管の水平色補正信号と青色投射管の水平色補正信号をそれぞれ生成する積分回路を有することを特徴とする請求項４記載の投射型表示装置。
【請求項６】
前記補正信号生成回路は、水平ＡＦＣパルスに基づいて、赤色投射管及び青色投射管の水平色補正信号を生成することを特徴とする請求項１記載の投射型表示装置。
【請求項７】
前記補正信号生成回路は、前記入力映像信号から分離した垂直同期信号に基づいて、赤色及び緑色投射管の垂直色補正信号を生成し、この垂直色補正信号の位相を反転して青色投射管の垂直色補正信号を生成することを特徴とする請求項１記載の投射型表示装置。
【請求項８】
前記補正信号生成回路は、前記垂直同期信号に同期した信号を積分して、赤色投射管及び緑色投射管の垂直色補正信号を生成する積分回路と、この積分回路からの垂直色補正信号を位相反転して青色投射管の垂直色補正信号を生成する位相反転回路とを有することを特徴とする請求項７記載の投射型表示装置。
【請求項９】
前記補正信号生成回路は、前記垂直同期信号により生成される垂直ダイナミックフォーカス信号を用いて赤色投射管及び緑色投射管の垂直色補正信号を生成し、前記垂直ダイナミックフォーカス信号を位相反転して前記青色投射管の垂直色補正信号を生成することを特徴とする請求項７記載の投射型表示装置。
【請求項１０】
緑色投射管に隣接してその両側に赤色投射管と青色投射管を配置し、各投射管のカソードにそれぞれ原色映像信号が供給され、各投射管からの投射映像をスクリーンに表示する投射型表示装置において、
入力映像信号から水平、垂直同期信号を分離する同期分離部と、
前記赤色、及び青色投射管によるスクリーン上での水平方向の色むらを補正するため、前記水平同期信号に同期した信号を利用して、鋸歯状波形の第１，第２の水平色補正信号を生成する第１の補正信号生成回路と、
前記赤色、及び緑色投射管によるスクリーン上での垂直方向の色むらを補正するため、前記垂直同期信号に同期したパラボラ波形の第１の垂直色補正信号を生成するとともに、前記青色投射管によるスクリーン上での垂直方向の色むらを補正するため、前記第１の垂直色補正信号を反転して第２の垂直色補正信号を生成する第２の補正信号生成回路と、
前記第１の水平色補正信号に前記第１の垂直色補正信号を加算する第１の加算回路と、
前記第２の水平色補正信号に前記第２の垂直色補正信号を加算する第２の加算回路と、
前記第１、第２の加算回路の出力及び前記第１の垂直色補正信号を、前記各投射管に供給される原色映像信号の輝度レベルに応じてそれぞれ制御する制御回路と、
前記制御回路によって制御された補正信号を対応する投射管の第１グリッド又は第２グリッドに供給する供給部と、
前記各投射管の第１グリッド又は第２グリッドへの補正信号の供給を、垂直帰線期間に禁止するマスク部とを具備したことを特徴とする投射型表示装置。
【請求項１１】
複数の投射管を有し、各投射管のカソードに原色映像信号を供給し、
入力映像信号から分離した同期信号を利用して、スクリーン上での色むらを補正する補正信号を生成し、
前記補正信号を、前記投射管に供給される原色映像信号の輝度レベルに応じて制御し、
前記制御された補正信号を前記各投射管の第１グリッド又は第２グリッドに供給することを特徴とする投射型表示装置の色補正方法。
【請求項１２】
前記複数の投射管は、中央に緑色投射管が配置され、それに隣接して赤色投射管と青色投射管が対称的に配置されたことを特徴とする請求項１１記載の投射型表示装置の色補正方法。
【請求項１３】
前記各投射管の第１グリッド又は第２グリッドへの補正信号の供給を、垂直帰線期間に禁止することを特徴とする請求項１１記載の投射型表示装置の色補正方法。
【発明の詳細な説明】
【技術分野】
【０００１】
この発明は、原色投射管を使用した投射型表示装置に関し、特に、各原色投射管の投射角度の違いに基づく色むらを補正する投射型表示装置に関する。
【背景技術】
【０００２】
原色投射管を使用した投射型表示装置が普及しているが、このような投射型表示装置においては、複数の原色投射管（Blue CRT、Green CRT、Red CRT）のそれぞれの投射角度が互いに異なり、左右端に配置される投射管の投射角度は、中央に配置される投射管に対して一定の角度で配置されている。この結果、スクリーン上に投射した各原色画像の輝度分布に微妙な違いを生じ、これが全白表示を行った際に色むらを生じる原因となっている。
【０００３】
このような投射型表示装置における色むら補正の一例が特許文献１に記載されている。この特許文献１では、色むらを補正するための補正波形と原色映像信号とを掛算処理し、その掛算出力信号でブラウン管を駆動することで、色むらの解消を図っている。
【０００４】
しかしながら、この従来技術においては、投射角度の違いから色むらが発生し、これを電気的に解消すべきであることを認識してはいるが、より確実に色むらを補正するには特許文献１に記載された内容では不十分であり、更なる改善が必要である。
【特許文献１】特開平３−１５１７８６号公報。
【発明の開示】
【発明が解決しようとする課題】
【０００５】
本発明は、複数の原色投射管を使用した投射型表示装置において、各原色投射管の投射角度の違いに基づく色むらをより確実に補正する投射型表示装置と色補正方法とを提供することを目的とする。
【課題を解決するための手段】
【０００６】
本発明は、原色映像信号がカソードに供給される複数の投射管を有し、各投射管からの投射映像をスクリーンに表示する投射型表示装置において、
入力映像信号から同期信号を分離する分離部と、前記分離部によって分離した同期信号を利用して、スクリーン上での色むらを補正する補正信号を生成する補正信号生成回路と、前記補正信号を、前記投射管に供給される原色映像信号の輝度レベルに応じて制御する制御回路と、前記制御回路によって制御された補正信号を前記各投射管の第１グリッド又は第２グリッドに供給する供給部とを具備したことを特徴とする投射型表示装置である。
【０００７】
又、本発明は、複数の投射管を有し、各投射管のカソードに原色映像信号を供給し、入力映像信号から分離した同期信号を利用して、スクリーン上での色むらを補正する補正信号を生成し、前記補正信号を、前記投射管に供給される原色映像信号の輝度レベルに応じて制御し、前記制御された補正信号を前記各投射管の第１グリッド又は第２グリッドに供給することを特徴とする投射型表示装置の色補正方法である。
【発明の効果】
【０００８】
本発明に係る投射型表示装置とこの色補正方法においては、色補正のための色補正信号が、水平同期信号及び垂直同期信号に基づいて生成される。この色補正信号は、投射管のグリッド端子に供給され、かつ投射管の映像信号レベルに応じて制御されるものであり、色むらを確実に補正することが可能となる。
【発明を実施するための最良の形態】
【０００９】
以下、図面を参照しながら、本発明に係る投射型表示装置の実施形態について詳細に説明する。
【００１０】
＜本発明に係る投射型表示装置＞
（構成）
以下、本発明に係る投射型表示装置について、図面を用いて詳細に説明する。図１は、本発明に係る投射型表示装置の色補正回路の一例を示すブロック図、図２は、本発明に係る投射型表示装置の色補正回路の他の一例を示すブロック図、図３は、本発明に係る投射型表示装置の全体構成の一例を示すブロック図、図４は、本発明に係る投射型表示装置の偏向回路の構成の一例を示すブロック図、図５は、本発明に係る投射型表示装置の外観の一例を示す説明図である。
【００１１】
本発明に係る投射型表示装置１は、図１又は図２に示すような色むら補正回路４８を有する点に特徴があるが、先ず図３を参照して全体的な構成について説明する。図３の構成においては、衛星放送や地上波アナログ放送、地上波デジタル放送等を受信するチューナ部４１と、チューナ部４１からの映像出力を適宜増幅させる映像増幅部４２と、映像増幅部４２からの出力を基に原色信号（Ｒ，Ｇ，Ｂ信号）を出力する原色出力部４４と、原色出力部４４からの原色出力信号を受けてＣＲＴ駆動信号を出力するＣＲＴドライブ回路４５と、ＣＲＴドライブ回路４５からＲ，Ｇ，Ｂ用の駆動信号がそれぞれカソードに供給される投射管５２Ｒ，５２Ｇ，５２Ｂとを有している。
【００１２】
又、映像増幅部４２には、水平同期信号ＨＰと垂直同期信号ＶＰを抽出する同期分離部４３が接続され、この同期分離部４３からの水平同期信号ＨＰ及び垂直同期信号ＶＰはそれぞれ水平偏向回路４６と、垂直偏向回路４７に供給され、各投射管５２Ｒ，５２Ｇ，５２Ｂに設けた偏向コイル５１に水平、垂直偏向電流を流すようにしている。
【００１３】
一方、同期分離部４３からの水平同期信号ＨＰと垂直同期信号ＶＰは、色むら補正回路４８に供給され、さらに水平偏向回路４６からＡＦＣ（Automatic  Frequency Control）パルスＡと、輝度信号に応答して変化する電圧Ｂ（ＡＢＬ電圧）が色むら補正回路４８に供給されている。尚、ＡＢＬ電圧Ｂは、映像増幅部４２にも供給され、輝度制限動作を行うようにしている。
【００１４】
ここで、水平偏向回路４６は、高圧トランスを含み、投射管５２Ｒ，５２Ｇ，５２Ｂのアノードへ高電圧を供給し、又、色むら補正回路４８は、赤色補正信号ＲＨを投射管５２Ｒへ、青色補正信号ＢＨを投射管５２Ｂへ、緑色補正信号ＧＨを投射管５２Ｇへ、それぞれ供給するものである。
【００１５】
次に図１を参照して、色むら補正回路４８の構成について詳しく説明する。図１において、色むら補正回路４８は、同期分離部４３からの水平同期信号ＨＰが供給される積分器１１，１２と、この積分器１１，１２の出力を受ける加算器１３、１４と、同期分離部４３からの垂直同期信号ＶＰが供給される積分器１５と、積分器１５の出力が供給される反転回路１６と、この投射管に供給される原色映像信号の輝度レベルに応じて変化する電圧（ＡＢＬ電圧）を出力する電圧変換部１７と、この電圧変換部１７の出力にマスク処理を施すマスク部１８とを有する。
【００１６】
この加算器１３は、積分器１１の出力と積分器１５の出力を加算し、その加算結果を乗算器１９に供給し、この加算器１４は、積分器１２の出力と反転回路１６の出力を加算し、その加算結果を乗算器２０に供給する。また積分器１５の出力は、乗算器２１に供給され、マスク部１８の出力が、それぞれ乗算器１９，２０，２１に供給される。乗算器１９，２０，２１の出力はそれぞれ増幅器２２，２３，２４に供給され、増幅器２２，２３，２４からは、それぞれ、赤色補正信号ＲＨ，青色補正信号ＢＨ，緑色補正信号ＧＨが得られ、各投射管５２Ｒ，５２Ｂ，５２Ｇのグリッド電極Ｇ１（又はグリッド電極Ｇ２）に供給するようにしている。
【００１７】
尚、積分器１１，１２，１５は、一般的なＣＲ回路で実現可能であるが、オペアンプを用いたものであってもよい。又、積分器１１，１２，１５を、デジタル回路として構成することも好適である。この場合は、スクリーン上の色むら成分が垂直方向と水平方向とに各座標ごとに検出されれば、この検出された色むら成分を解消するべく、デジタル値による補正値により適正に色むら補正を行うことができる。
【００１８】
又、補正回路４８は、図２に示すように、前述した水平同期信号ＨＰと垂直同期信号ＶＰとを利用する代わりに、水平偏向回路４６からのＡＦＣパルスＡを利用し、かつ垂直偏向回路４７からの垂直ダイナミックフォーカス用のパラボラ信号ＰＰとを用いることも好適である。即ち、図２の色むら補正回路４８は、水平偏向回路４６からのＡＦＣパルスＡが供給される水平タイミングパルス発生回路３１を有しており、その出力が積分器１１，１２にそれぞれ供給されている。水平タイミングパルス発生回路３１は、例えば単安定マルチバイブレータで成り、これにより、赤及び青投射管の水平色補正信号のタイミングパルスを発生させるものである。更に、垂直偏向回路４７からの垂直ダイナミックフォーカス用のパラボラ信号ＰＰを利用することで、図１で示した積分器１５を設けることなく、垂直周期のパラボラ信号ＰＰを得るようにし、反転回路１６及び、加算器１３，１４，乗算器２１に供給するようにしている。尚、その他の構成は図１と同様であり、説明は省略する。
【００１９】
尚、ここで水平偏向回路４６及び垂直偏向回路４７の構成について図４を参照して説明しておく。図４において、水平偏向回路４６は、同期分離部４３から出力された水平同期信号ＨＰが供給される水平ドライブ回路６１と、この水平ドライブ回路６１からの出力が供給される水平出力回路６２と、水平出力回路６２に接続された高圧トランス（ＦＢＴ）６３とを有している。高圧トランス６３の出力はフォーカスパック６４に出力され、各投射管のフォーカス電極に供給され、高圧トランス６３からの高圧出力は、各投射管のアノードに供給される。
【００２０】
又、高圧トランス６３の所定の巻線からは水平ＡＦＣパルスＡが得られ、水平出力回路６２は、偏向ヨーク５１の水平偏向コイルに接続されている。ここで、図２で述べた例では、上記水平ＡＦＣパルスＡが、色むら補正回路４８に供給される。又、偏向ヨーク５１の水平偏向コイルにはＳ字補正回路６５が接続されている。Ｓ字補正回路６５はＳ字補正用のコンデンサ（図示せず）を含み、このＳ字補正コンデンサの両端には水平周期のパラボラ波が生じるため、このパラボラ波を水平ダイナミックフォーカス用の信号として利用することができる。
【００２１】
一方、垂直偏向回路４７は、同期分離部４３から出力された垂直同期信号ＶＰが供給される垂直偏向ＤＰＣ補正制御ＩＣ７１と、この補正制御ＩＣ７１の出力が供給されるＤＰＣ回路７２と、補正制御ＩＣ７１からの垂直ダイナミックフォーカス用のパラボラ信号ＰＰが供給されるダイナミックフォーカス出力部７４と、補正制御ＩＣ７１からの出力が供給される垂直偏向出力回路７３とを有しており、垂直偏向出力回路７３からの出力は、偏向ヨーク５１の垂直偏向コイルに供給される。尚、ＤＰＣは、左右糸巻歪補正の略称である。
【００２２】
又、ダイナミックフォーカス出力部７４は、垂直ダイナミックフォーカス用のパラボラ信号ＰＰと、Ｓ字補正回路６５からの水平ダイナミックフォーカス用の信号がそれぞれ供給され、フォーカス電圧を投射管のフォーカス電極に与えるようにしている。ここで、図２で述べた例では、上述した垂直ダイナミックフォーカス用のパラボラ信号ＰＰが、色むら補正回路４８に供給されるようになっている。
【００２３】
又、本発明に係る投射型表示装置１は、図５に示すような外観を有しており、(ａ)は平面図であり、表示部であるスクリーンＳが前面部に配置されている。又、(ｂ)は正面図であり、緑色の投射管５２Ｇを中心にして赤色の投射管５２Ｒと、緑色の投射管５２Ｇが所定の角度で配置されている。又、(ｃ)は側面図であり、スクリーンＳが示されている。
【００２４】
（動作）
上述した構成を有する投射型表示装置１において、先ず基本的動作を以下に述べると、チューナ部４１において選局され復調された映像信号は、映像増幅部４２に供給され、原色出力部４４で原色信号（Ｒ，Ｇ，Ｂ信号）が得られる。各原色信号Ｒ，Ｇ，Ｂは、ＣＲＴドライブ回路４５を介して、それぞれ投射管５２Ｒ，５２Ｇ，５２Ｂのカソードに供給される。投射管５２Ｒ，５２Ｇ，５２Ｂから投射された投射光はスクリーンＳにて結像し映像を表示する。尚、映像信号は、チューナ部４１で受信した放送信号からの映像信号に限らず、例えば、外部から供給された映像信号（ＶＴＲ等からの信号）であっても良い。
【００２５】
又、同期分離部４３は、映像増幅部４２からの映像信号に含まれる水平同期信号ＨＰと垂直同期信号ＶＰとを分離抽出し、それぞれ、水平偏向回路４６と、垂直偏向回路４７と供給し、水平偏向回路４６及び垂直偏向回路４７によって、偏向ヨーク５１の水平、垂直偏向コイルに偏向電流を流す。又、水平偏向回路４６からの水平同期信号ＨＰ又は水平ＡＦＣパルスＡが色むら補正回路４８に供給され、さらに垂直同期信号ＶＰ又は垂直ダイナミックフォーカス用のパラボラ波形ＰＰが色むら補正回路４８に供給される。さらにＡＢＬ信号も色むら補正回路４８に供給される。
【００２６】
（色むら補正処理）
以下に、図６乃至図８のタイミングチャート及び説明図を用いて、色むら補正回路４８の動作を説明する。本発明に係る投射型表示装置１は、色むら補正回路４８により、複数の投射管の投射角度の相違に由来する色むらを補正するものである。その処理は、図１に示す例では、水平同期信号ＨＰと垂直同期信号ＶＰとに基づいて生成された色補正信号により行われ、図２に示す例では、水平ＡＦＣパルスＡと、垂直ダイナミックフォーカス用のパラボラ信号ＰＰとに基づいて生成された色補正信号により行われるものである。
【００２７】
例えば、スクリーンＳで図６に示すような色むらが発生しているものとする。この例では、スクリーンＳの上部と下部に緑色・赤色の不足領域があり、スクリーンの右側に赤色の不足領域があり、スクリーンの左側に青色の不足領域がある場合を示している。
【００２８】
この場合、色むら補正回路４８においては、図６に示す色むらを補正するべく、同期分離部４３から供給された水平同期信号ＨＰが、二つの積分器１１，１２に供給される。各積分器１１，１２を適正な時定数に設定することにより、水平同期信号ＨＰを基に、図６のような鋸歯状波に近似する補正波形Ｃ１、Ｃ２が得られる。補正波形Ｃ１は青色投射管５２Ｂの水平色補正信号であり、補正波形Ｃ２は赤色投射管５２Ｒの水平色補正信号である。これら補正信号Ｃ１，Ｃ２はスクリーンＳの左右部分の青色及び赤色の不足領域における青色及び赤色を強調するものである。
【００２９】
又、垂直同期信号ＶＰが積分器１５に供給されて、積分される結果、垂直同期信号ＶＰに同期して、パラボラ波形Ｃ４が得られ、かつ、パラボラ波形Ｃ４を反転回路１６で反転してパラボラ波形Ｃ３が得られる。補正波形Ｃ３は、青色投射管５２Ｂの垂直色補正信号であり、又、補正波形Ｃ４は、緑色投射管５２Ｇと赤色投射管５２Ｒの垂直色補正信号である。補正信号Ｃ４はスクリーンＳの上下部分における緑と赤色の不足領域における緑と赤色を強調するものであり、補正信号Ｃ３はスクリーンＳの上下部分における青色成分低減して全体として青、赤、緑色の垂直成分が均一になるように補正するものである。
【００３０】
この水平色補正信号Ｃ２と垂直色補正信号Ｃ４は加算器１３で加算され、水平色補正信号Ｃ１と垂直色補正信号Ｃ３は加算器１４で加算されて、それぞれ乗算器１９，２０に供給され、垂直色補正信号Ｃ４は乗算器２１に供給される。これら乗算器１９，２０，２１からの色補正信号は、増幅器２２，２３，２４を介して赤色、青色、緑色投射管５２Ｒ，５２Ｂ，５２Ｇのグリッド電極Ｇ１に加えられ、水平及び垂直方向の色むらが補正されることになる。
【００３１】
なお、上述した補正処理においては、色むらの程度に応じて、積分器１１，１２，１５の時定数を決定することにより、積分の程度を適正にして、所望の色むら補正を実現するものである。
【００３２】
一方、各乗算器１９，２０，２１には輝度信号レベルの変化に応じて変化する電圧（ＡＢＬ電圧）が電圧変換部１７から供給されており、画面の明るさに応じて色補正の度合いを制御するようにしている。即ち、全黒信号入力時には画面が全体に暗くなるため、グリッド電極Ｇ１に色むら補正信号を加えると、蛍光体の発光を均一に遮断することができなくなり、この結果、暗部で色むらが発生する。これを防ぐために輝度信号レベルが低い場合は、グリッド電極Ｇ１の電位を０Ｖとなるように制御し、輝度信号レベルが高く全体的に明るい画面のときに、グリッド電極Ｇ１に色むら補正信号を供給するように制御している。
【００３３】
又、マスク回路１８には、垂直帰線消去パルスＶBLKが供給されており、垂直帰線期間には色むら補正を行わないようにし、垂直帰線期間の輝度上昇を防止している。
【００３４】
図７、図８は、前述した補正信号Ｃ１，Ｃ２，Ｃ３を発生するための動作波形を示すものである。図７は、図２の回路における水平ＡＦＣパルスＡと、水平タイミングパルス発生回路３１からのタイミングパルスＴを示している。水平タイミングパルス発生回路３１は、例えば単安定マルチバイブレータを用いることにより、タイミングパルスＴ（実線及び点線のパルス）を得ることができ、タイミングパルスＴ（実線）を積分器１２で積分することにより補正信号Ｃ１が得られ、タイミングパルスＴ（点線）を積分器１１で積分することにより補正信号Ｃ２が得られる。
【００３５】
図８は、図１における積分器１５の動作波形を示すもので、垂直同期信号ＶＰを１回積分して鋸歯状波を得、さらに鋸歯状波を積分することで垂直周期のパラボラ波を得るものである。尚、垂直周期のパラボラ波は、垂直ダイナミックフォーカス用のパラボラ信号ＰＰを利用することもでき、この場合は、図２のように積分器１５を除去することができる。
【００３６】
従って、図１，図２の実施形態によれば、水平偏向回路４６及び垂直偏向回路４７に用いられている信号を利用することにより、所望の色補正信号を得ることができる。
【００３７】
又、ここで示した色補正処理は、必ずしも、水平成分と垂直成分とを同時に行う必要はなく、水平成分の補正のみでも有効である。又は、垂直成分の補正だけでも良い。
【００３８】
又、本発明においては、色むら補正信号を映像信号に付加せず、グリッド電極Ｇ１（又はグリッド電極Ｇ２）に供給して補正するため、色むら補正回路４８を付加したために発生する高周波領域での画質への影響を最小限に抑制することができる。
【００３９】
以上記載した様々な実施形態により、当業者は本発明を実現することができるが、本発明は、開示された原理と新規な特徴に矛盾しない広範な範囲に及ぶものであり、上述した実施形態に限定されるものではない。
【図面の簡単な説明】
【００４０】
【図１】本発明に係る投射型表示装置の色補正回路の一例を示すブロック図。
【図２】本発明に係る投射型表示装置の色補正回路の他の一例を示すブロック図。
【図３】本発明に係る投射型表示装置の構成の一例を示すブロック図。
【図４】本発明に係る投射型表示装置の偏向回路の構成の一例を示すブロック図。
【図５】本発明に係る投射型表示装置の外観の一例を示す説明図。
【図６】本発明に係る投射型表示装置の水平方向及び垂直方向の色補正処理を説明する説明図。
【図７】本発明に係る水平色むら補正信号の発生動作を説明する波形図。
【図８】本発明に係る垂直色むら補正信号の発生動作を説明する波形図。
【符号の説明】
【００４１】
１１…積分器、１２…積分器、１３…加算器、１４…加算器、１５…積分器、１６…反転回路、１７…電圧変換部、１８…マスク、１９…乗算器、２０…乗算器、２１…乗算器、２２…増幅器、２３…増幅器、２４…増幅器。
【図１】
2005117560.tif 000003
【図２】
2005117560.tif 000004
【図３】
2005117560.tif 000005
【図４】
2005117560.tif 000006
【図５】
2005117560.tif 000007
【図６】
2005117560.tif 000008
【図７】
2005117560.tif 000009
【図８】
2005117560.tif 000010